【事件の表示】
　平成　６年特許願第２８１９４６号「プリンタ機能付複写装置」拒絶査定に対する審判事件［平成　８年　６月　７日出願公開、特開平　８−１４９２３８］について、次のとおり審決する。
【結　論】
　本件審判の請求は、成り立たない。
【理　由】
１．手続の経緯・本願発明
　本願は、平成６年１１月１６日に特許出願したものであって、その請求項１に係る発明は、平成１２年７月２１日付けの手続補正書により補正された明細書及び図面の記載からみて、本願の特許請求の範囲の請求項１に記載されたとおりの次のものと認める。
「【請求項１】　原稿から画像を読み取るスキャナ部と、
　コンピュータ等の外部装置にて作成されたプリントデータを入力するためのプリントデータ入力部と、
　記録紙に画像を形成する画像形成部と、
　上記原稿の複写指令を入力するための複写指令入力手段と、
　該複写指令入力手段から複写指令が入力されると、上記スキャナ部を動作させて原稿画像を読み取り、該原稿画像に応じて上記画像形成部を制御して、上記記録紙に原稿画像を記録させる第１の記録制御手段と、
　上記プリント入力部にプリントデータが入力されると、該データに応じて上記画像形成部を制御し、上記記録紙にプリントデータに応じた作成画像を記録させる第２の記録制御手段と、
　を備えたプリンタ機能付複写装置において、
　上記第２の記録制御手段による上記作成画像の記録制御中に上記複写指令入力手段から複写指令が入力されると、該複写指令を記憶し、上記第２の記録制御手段による作成画像の記録制御が終了したとき、上記第１の記録制御手段による上記原稿画像の記録制御を開始させる複写指令受付手段と、
　上記複写指令の解除指令を入力するための解除指令入力手段と、
　上記第２の記録制御手段による上記作成画像の記録制御中であって、上記複写指令受付手段による上記原稿画像の記録制御開始の待機中に、該解除指令入力手段から上記複写指令の解除指令が入力されると、上記複写指令受付手段による複写指令の記憶を解除し、上記作成画像の記録制御終了直後に実行される上記原稿画像の記録制御を禁止する複写指令解除手段と、
　を設けたことを特徴とするプリンタ機能付複写装置。」
　
２．引用例 
（１）引用例
　これに対して、原審の拒絶理由に引用された、特開昭５９−８６９５３号公報（以下「引用例」という。）には、次の事項が記載されている。
（ア）「本発明は像形成装置、特に原稿走査に従つた画像記録と外部機器からの情報記録とを可能な像形成装置に関するものである。」（引用例の１頁下右欄４〜６行）
（イ）「本実施例装置には原稿画像からの光像による潜像形成用としてスクリーンドラム（以下ＳＤと呼ぶ）２−２が、またデイジタル画像形成用として、多数のピン電極を一列に並べたマルチスタイラス２−３が設けてあり、これらによって誘電層を有する絶縁ドラム（以下ＩＤと呼ぶ）２−１上に潜像形成する様になっている。
　ＳＤ２−２は露光された原稿画像を静電潜像として記憶しておくためのドラムであり、ＩＤ２−１はＳＤ２−２から転写された静電潜像及びマルチスタイラス２−３により形成される静電潜像を可視像にして転写紙に転写させるためのドラムである。」（引用例の２頁上右欄３〜１５行）
（ウ）「画像露光は原稿台２−１９に置かれた原稿を図示矢印Ｆ方向に所定速度で移動する原稿露光ランプ２−２０で露光し、その反射光像を露光ランプ２−２０と一体に移動する第１ミラー２−２１及び第１ミラー２−２１の１／２の速度で移動する第２ミラー２−２２で受け、レンズ２−２３により更に第３ミラーをへてスリット２−８を通してＳＤ２−２へ結像する。」（引用例の３頁上左欄３〜１０行）
（エ）「独立にマルチスタイラスによるデイジタル画像のみの潜像をＩＤ２−１上に形成できる。
　従って、ワードプロセッサ、オフイスコンピュータ、ファクシミリ等の外部機器から送られてくる情報の記録と、原稿画像走査によるコピー動作を同一の装置で出来るとともに、外部機器からの情報を原稿画像に合成（オーバレイ）して記録することもできる。」（引用例の４頁下左欄１７行〜同頁下右欄４行）
（オ）「第１５図に表示／操作部１４−７を示す。（ａ）は表示部、（ｂ）は操作部でそれぞれ第１４図のＣＰＵ１４−１４により管理されている。
　・・・（中略）・・・
　１６−１０はコピースタートボタンでコピーを始める時に押す。１６−１１はコピーストップボタンで、すべてのコピー動作をストップする。このボタン１６−１１を押すと、押した時点で実行中の１サイクルのコピー動作が終了した後、装置を停止する。」（引用例の１０頁下右欄９行〜１１頁下右欄６行）
（カ）「第１５図、１６−１７，１６−１８，１６−１９は装置の動作モードを選択するスイッチで、いずれも内部にランプがあり、選択したものを点灯する様になっている。」（引用例の１２頁下右欄１〜４行）   
（キ）「通常モードで先にディジタルコピーが実行されている場合、ディジタルコピーを中断することなく枚数設定及び光学走査を行い、ＳＤドラム２−２に潜像形成を行うことができる。まずクリアキー１６−９を押すことにより、表示器１６−７，１６−８は夫々“００１”、“０００”表示となり、次にアナログコピーの所望枚数をテンキーで設定すると表示器１６−７にはその設定枚数が表示される。さらにコピーキー１６−１０を押すことにより原稿の光学的走査が行われ、ＳＤ２−２上に１次潜像が形成される。尚、この間もディジタルコピーは続行している。
　ＳＤ２−２に１次潜像形成後、ディジタルコピーの設定枚数及びコピーカウントが表示器１６−７，１６−８に復帰される。ディジタルコピー終了後、ＳＤ２−２には既に１次潜像が形成されているので、所望のアナログコピーはＩＤ２−１への潜像転写工程から始まる。このとき、先に入力されていたアナログコピーの枚数設定が表示器１６−７に表示され、コピーカウント１６−８も１から増加開始する。」（引用例の１３頁上左欄１７行〜同頁上右欄１９行）
（ク）「すでに通常モードでディジタルコピーが行われている場合は、外部機器１４−１０へ信号ＢＵＳＹを出力し、ディジタルコピーを中断する。しかし、キーＡ１６−１８を再び動作すると、禁止状態が解除されディジタルコピーが再スタートする。
　このようにディジタルコピーにアナログコピーを割込んだ場合、その割込みが誤りであったり、また割込を必要としなくなった場合、所定時間以内であれば中断前のディジタルコピーに復帰でき好都合である。キーＡ１６−１８でアナログコピーモードが設定されるとアナログコピーを行うことができる。枚数設定は（１）で述べた様に行う。また、一定時間内に行なわれない場合は禁止前のディジタルコピーが再スタートする。」（引用例の１３頁下左欄１０行〜同頁下右欄５行）
と記載されているから、これらの記載より引用例１には次のことが記載されている。
「原稿台２−１９に置かれた原稿を原稿露光ランプ２−２０で露光し、その反射光像を露光ランプ２−２０と一体に移動する第１ミラー２−２１及び第１ミラー２−２１の１／２の速度で移動する第２ミラー２−２２で受け、レンズ２−２３により更に第３ミラーをへてスリット２−８を通してＳＤ２−２へ結像し、
   原稿画像からの光像による潜像形成用として露光された原稿画像を静電潜像として記憶しておくためのスクリーンドラム（ＳＤ）２−２と、
　また、デイジタル画像形成用として、多数のピン電極を一列に並べたマルチスタイラス２−３と、
　ＳＤ２−２から転写された静電潜像、及び、マルチスタイラス２−３により形成される静電潜像を可視像にして転写紙に転写させるための誘電層を有する絶縁ドラムＩＤ２−１と、
　コピーを始める時に押すコピースタートボタン１６−１０を有する表示／操作部１４−７と、
が設けられ、
　ワードプロセッサ、オフイスコンピュータ、ファクシミリ等の外部機器から送られてくる情報の記録と、原稿画像走査によるコピー動作を同一の装置で出来る像形成装置において、
　通常モードで先にディジタルコピーが実行されている場合、コピーキー１６−１０を押すことにより原稿の光学的走査が行われ、ＳＤ２−２上に１次潜像が形成され、ディジタルコピー終了後、ＳＤ２−２には既に１次潜像が形成されているので、ＩＤ２−１への潜像転写工程から所望のアナログコピーを始められるから、
　通常モードで先にディジタルコピーが実行されている場合でも、ディジタルコピーを中断することなく枚数設定及び光学走査を行い、ディジタルコピー終了後にアナログコピーを行うことができることを特徴とする像形成装置。」
　
３．対比
　そこで、本願請求項１に係る発明と引用例の発明とを比較すると、
　原稿の読取について、引用例は原稿を静電潜像にして記憶しているが、原稿を電子データに変換して記憶することは周知慣用のことであり（原稿を電子データにして記憶手段に記憶する点については周知例をあげるまでもなく周知であり、また、予約原稿を記憶手段に記憶するものとしては、例えば、特開平４−１４９４７号公報を参照。）、
　また、原稿から画像を読み取る点では、引用例の「原稿台２−１９に置かれた原稿を原稿露光ランプ２−２０で露光し、その反射光像を露光ランプ２−２０と一体に移動する第１ミラー２−２１及び第１ミラー２−２１の１／２の速度で移動する第２ミラー２−２２で受け、レンズ２−２３により更に第３ミラーをへてスリット２−８を通してＳＤ２−２へ結像し」は、本願請求項１に係る発明の「スキャナ部」に相当し、
　引用例のものも、ワードプロセッサ、オフイスコンピュータ、ファクシミリ等の外部機器から送られたくる情報の記録を行うものであるから、像形成装置にはデータを入力するための入力部があるものと認められ、さらに、引用例では外部機器から送られてくる情報の記録を潜像を用いて形成してるが、像形成においてプリンタを用いることは常套手段であり、外部機器からのプリントデータの入力により画像形成させること周知慣用のことであり引用例にも外部機器からのプリントスタート指令について記載されている（引用例１５頁上左欄３〜５行等）から、
　引用例の「転写紙に転写させるための誘電層を有する絶縁ドラムＩＤ２−１」は、本件請求１に係る発明の「記録紙に画像を形成する画像形成部」に相当し、
　引用例の「コピースタートボタンを持つ表示／操作部」は、本件請求１に係る発明の「複写指令入力手段」に相当し、
　引用例のアナログコピーモードを行うための手段は、本件請求項１に係る発明の第１の記録制御手段に相当し、
　引用例のディジタルコピーモードを行うための手段は、本件請求項１に係る発明の第２の記録制御手段に相当し、
　引用例もディジタルコピーが実行されているときに、アナログコピーの指令がなされると、ディジタルコピーが終了してから、アナログコピーが実行されるものであるから、複写指令を記憶することは記載されていないが、複写指令が受け付けられ、その複写指令がディジタルコピーが終了したが実行されるのであるから、複写指令が記憶されているに等しいものと認められ、
　また、像形成において、上述のように引用例のものはプリンタを用いていないが、像形成においてプリンタを用いることは周知慣用のことであるから、引用例の「像形成装置」は、本件請求項１に係る発明の「プリンタ機能付複写装置」に相当するといえるから、
　両者は、
「原稿から画像を読み取るスキャナ部と、
　コンピュータ等の外部装置にて作成されたプリントデータを入力するためのプリントデータ入力部と、
　記録紙に画像を形成する画像形成部と、
　上記原稿の複写指令を入力するための複写指令入力手段と、
　該複写指令入力手段から複写指令が入力されると、上記スキャナ部を動作させて原稿画像を読み取り、該原稿画像に応じて上記画像形成部を制御して、上記記録紙に原稿画像を記録させる第１の記録制御手段と、
　上記プリント入力部にプリントデータが入力されると、該データに応じて上記画像形成部を制御し、上記記録紙にプリントデータに応じた作成画像を記録させる第２の記録制御手段と、
　を備えたプリンタ機能付複写装置において、
　上記第２の記録制御手段による上記作成画像の記録制御中に上記複写指令入力手段から複写指令が入力されると、該複写指令を記憶し、上記第２の記録制御手段による作成画像の記録制御が終了したとき、上記第１の記録制御手段による上記原稿画像の記録制御を開始させる複写指令受付手段と、
　を設けたことを特徴とするプリンタ機能付複写装置。」
点で一致し、下記の点において相違する。
（相違点）
　本願請求項１に係る発明には、複写指令の解除指令を入力するための解除指令入力手段と、第２の記録制御手段による作成画像の記録制御中であって、複写指令受付手段による原稿画像の記録制御開始の待機中に、該解除指令入力手段から複写指令の解除指令が入力されると、複写指令受付手段による複写指令の記憶を解除し、作成画像の記録制御終了直後に実行される原稿画像の記録制御を禁止する複写指令解除手段が設けられているのに対して、引用例には、そのような解除指令入力手段、複写指令解除手段が設けられていない点。
　
４．当審の判断
 上記相違点について検討すると、
　一般的に、予約機能を持つ装置において、予約が実行される前に、予約の取消が出来ることは常識であり、コピー予約において、予約を解除することは例えば、特開平３−２６１９６８号公報、特開昭６１−１５１６３２号公報等により周知のことであるから、引用例のものにおいても、解除指令入力手段、複写指令解除手段を設けて、本願請求項１に係る発明のもののようにすることは当業者が容易に考えることと認められる。
　
５．むすび
　したがって、本願請求項１に係る発明は引用例１に記載された発明に基づいて当業者が容易に発明をすることができたものであるので、特許法第２９条第２項の規定により特許を受けることができない。
　よって、結論のとおり審決する。